【事件の表示】
　特願２００５−１２８９３７「贈呈品選定システム」拒絶査定不服審判事件〔平成１８年１１月　９日出願公開、特開２００６−３０９３７４〕について、次のとおり審決する。
【結　論】
　本件審判の請求は、成り立たない。
【理　由】
１．手続の経緯
　本願は，平成１７年４月２７日の出願であって，平成１８年１２月２８日付けで拒絶査定がされ，これに対し，平成１９年２月１５日に拒絶査定不服審判がされるとともに，平成１９年３月１２日付けで手続補正がなされ，当審における平成２１年５月１２日付け審尋に対し，同年７月９日付けで回答がなされたものである。
　
　
２．平成１９年３月１２日付けの手続補正についての補正却下の決定
　
　［補正却下の決定の結論］
　
　　平成１９年３月１２日付けの手続補正を却下する。
　
　［理由］
　
（１）補正の内容
　
　平成１９年３月１２日付けの手続補正（以下「本件補正」という。）は，特許請求の範囲について，本件補正前の
　
「　【請求項１】
　贈呈品の提供を受ける贈呈先に対して，贈呈品の選定をネットワークを介して助力する贈呈品選定システムであって，
　前記ネットワークと接続された贈呈品サーバを備え，
　該贈呈品サーバは，
　複数の値段ランクの各値段ランクと，各値段ランクに含まれる贈呈品を特定するための贈呈品データとを対にしたランク別贈呈品データを記憶する贈呈品データ記憶部と，
　前記贈呈先への贈呈品提供を意図する贈呈主から贈呈品提供の依頼を受けると，前記贈呈主から示された贈呈品の値段ランクとその値段ランクごとの贈呈品提供数の提示を前記贈呈主から受け，前記値段ランクごとに，各値段ランクごとの前記提供数に応じたデータ数のデータ対を作成し，該データ対ごとに贈呈先識別のための識別データを対応付けた上で，前記値段ランクと前記識別データとを対にした贈呈先関連データを，前記贈呈主から示された前記値段ランクごとの贈呈品提供数に応じて前記値段ランクごとに作成し，該作成した贈呈先関連データを記憶する贈呈先関連データ記憶部と，
　前記識別データを受け取った贈呈先が前記ネットワークに接続された端末を操作して行う前記識別データの入力を待機する入力待機部と，
　該入力のあった前記識別データに対応する前記値段ランクを，前記贈呈先関連データ記憶部が記憶した前記贈呈先関連データに基づいて決定し，該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する贈呈品提示部とを備え，
　前記贈呈品データ記憶部は，
　ネットワークを介して接続された外部のクライアントから，贈呈品の価格データと贈呈品を画像表示する画像データとを含むメーカ側情報を受領して記憶するメーカ情報受領部と，
　該受領した前記価格データと前記画像データとを，前記価格データに対応する値段ランクと，前記画像データにリンクできるリンク情報を含む前記贈呈品データに処理するデータ処理部とを有し，
　前記メーカ情報受領部は，
　前記贈呈品のメーカを特定するメーカ特定データを前記メーカ側情報の一つとして受領し，
　前記データ処理部は，
　前記贈呈品について，前記値段ランクと，前記贈呈品データと，前記メーカ特定データと，前記贈呈品が分類される分類データとを対応付けた贈呈品データ群を作成し，
　前記贈呈品提示部は，
　前記決定した値段ランクについての前記ランク別贈呈品データに基づいた前記端末への贈呈品提示を，前記贈呈品データ群における前記メーカ特定データ或いは分類データに基づいたメーカ別提示，或いは贈呈品分類別提示として実行する
　贈呈品選定システム。
　　【請求項２】
　請求項１記載の贈呈品選定システムであって，
　前記贈呈先関連データ記憶部は，
　前記贈呈主が定める前記値段ランクと，その値段ランクごとの贈呈品提供数とを，前記贈呈主が操作する端末からネットワークを介して受領する依頼受領部を有する
　贈呈品選定システム。
　　【請求項３】
　請求項１記載の贈呈品選定システムであって，
　前記外部のクライアントは，前記贈呈品のメーカ或いは販売業者である
　贈呈品選定システム。
　　【請求項４】
　請求項１記載の贈呈品選定システムであって，
　前記メーカ情報受領部は，
　前記メーカ或いは前記販売業者が前記ネットワークに接続して備えるメーカ側サーバにて更新される前記メーカ側情報を，前記メーカ側サーバから前記ネットワークを介して取り込んで更新する
　贈呈品選定システム。
　　【請求項５】
　請求項１ないし請求項４いずれか記載の贈呈品選定システムであって，
　前記贈呈品サーバは，
　更に，
　前記贈呈品提示部が提示した贈呈品の発注と，発注贈呈品の送付に関する送付先データとの入力を，前記端末から受け付ける発注受付部と，
　該受け付けた発注贈呈品についての前記贈呈品データと前記送付先データを，前記発注贈呈品のメーカが前記ネットワークに接続して備えるメーカ側サーバに送信し，該メーカ側サーバに対して前記メーカからの贈呈品発送を依頼する発送依頼部とを有する
　贈呈品選定システム。
　　【請求項６】
　請求項５記載の贈呈品選定システムであって，
　前記メーカ側サーバは，
　前記贈呈品サーバに対して，発送した贈呈品に対する費用請求を行う請求部を有する
　贈呈品選定システム。
　　【請求項７】
　請求項５または請求項６記載の贈呈品選定システムであって，
　前記贈呈先関連データ記憶部は，
　前記贈呈主からの前記贈呈品提供の依頼に際し，前記贈呈主が贈呈品提供を意図する贈呈先と，贈呈先ごとの贈呈品の前記値段ランクと，贈呈先ごとの前記送付先データとを受領すると，前記贈呈主が意図した贈呈先ごとに前記値段ランクと前記識別データと前記送付先データとを対として前記贈呈先関連データを作成・記憶し，
　前記発注受付部は，
　前記端末からの贈呈品発注を受けた場合，前記端末から入力のあった前記識別データと前記贈呈先関連データとに基づいて，前記端末入力の前記識別データに対応する前記送付先データを読み込み，前記端末からの前記送付先データの入力を簡略化する
　贈呈品選定システム。
　　【請求項８】
　贈呈品の提供を受ける贈呈先に対して，贈呈品の選定をネットワークを介して助力する贈呈品選定システムであって，
　前記ネットワークと接続された贈呈品サーバを備え，
　該贈呈品サーバは，
　複数の値段ランクの各値段ランクと，各値段ランクに含まれる贈呈品を特定するための贈呈品データとを対にしたランク別贈呈品データを記憶する贈呈品データ記憶部と，
　前記贈呈先への贈呈品提供を意図する贈呈主から贈呈品提供の依頼を受けると，前記贈呈主から示された贈呈品の値段ランクとその値段ランクごとの贈呈品提供数の提示を前記贈呈主から受け，前記値段ランクごとに，各値段ランクごとの前記提供数に応じたデータ数のデータ対を作成し，該データ対ごとに贈呈先識別のための識別データを対応付けた上で，前記値段ランクと前記識別データとを対にした贈呈先関連データを，前記贈呈主から示された前記値段ランクごとの贈呈品提供数に応じて前記値段ランクごとに作成し，該作成した贈呈先関連データを記憶する贈呈先関連データ記憶部と，
　前記識別データを受け取った贈呈先が前記ネットワークに接続された端末を操作して行う前記識別データの入力を待機する入力待機部と，
　該入力のあった前記識別データに対応する前記値段ランクを，前記贈呈先関連データ記憶部が記憶した前記贈呈先関連データに基づいて決定し，該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する贈呈品提示部と，
　前記識別データを記載した印刷物と，該印刷物に記載した前記識別データが対応する前記値段ランクに含まれる前記贈呈品の一部を記載した冊子とを，前記贈呈主或いは前記贈呈先に送付する送付部とを備える
　贈呈品選定システム。」
　
とある記載を，
　
「　　【請求項１】
　贈呈品の提供を受ける贈呈先に対して，贈呈品の選定をネットワークを介して助力する贈呈品選定システムであって，
　前記ネットワークと接続された贈呈品サーバを備え，
　該贈呈品サーバは，
　複数の値段ランクの各値段ランクと，各値段ランクに含まれる贈呈品を特定するための贈呈品データとを対にしたランク別贈呈品データを記憶する贈呈品データ記憶部と，
　前記贈呈先への贈呈品提供を意図する贈呈主から贈呈品提供の依頼を受けると，前記贈呈主から示された贈呈品の値段ランクとその値段ランクごとの贈呈品提供数の提示を前記贈呈主から受け，前記値段ランクごとに，各値段ランクごとの前記提供数に応じたデータ数のデータ対を作成し，該データ対ごとに贈呈先識別のための識別データを対応付けた上で，前記値段ランクと前記識別データとを対にした贈呈先関連データを，前記贈呈主から示された前記値段ランクごとの贈呈品提供数に応じて前記値段ランクごとに作成し，該作成した贈呈先関連データを記憶する贈呈先関連データ記憶部と，
　前記識別データを受け取った贈呈先が前記ネットワークに接続された端末を操作して行う前記識別データの入力を待機する入力待機部と，
　該入力のあった前記識別データに対応する前記値段ランクを，前記贈呈先関連データ記憶部が記憶した前記贈呈先関連データに基づいて決定した上で，前記ネットワークを介した前記端末への商品の提示を行う贈呈品提示部と，
　前記贈呈主或いは前記贈呈先への前記識別データを記載した印刷物と該印刷物に記載した前記識別データが対応する前記値段ランクに含まれる前記贈呈品の一部を記載した冊子との発送に関与する発送処理部とを備え，
　前記贈呈品提示部は，
　前記ネットワークを介した前記端末への商品の提示に際して，前記決定した値段ランクに含まれる前記贈呈品の前記端末への提示を前記決定した値段ランクについて前記贈呈品データ記憶部が記憶した前記ランク別贈呈品データの前記贈呈品データに基づいて行い，前記入力のあった前記識別データに対応しない前記値段ランクに含まれる前記贈呈品の前記端末への提示の要求が前記端末の操作によりあった場合には，該提示の要求を受け付けない
　贈呈品選定システム。」
　
　と補正しようとするものである。
　
（２）本件補正についての審判請求人の主張
　審判請求書における本件補正に対する審判請求人の主張の概要は以下のとおりである。
　
「今般の手続補正書にあるように，今般行った補正は，請求項１〜請求項７を削除し，請求項８を新たな請求項１としつつ，この請求項１において，贈呈品提示部については，入力のあった前記識別データに対応する前記値段ランクを，前記贈呈先関連データ記憶部が記憶した前記贈呈先関連データに基づいて決定した上で，前記ネットワークを介した前記端末への商品の提示に際しては，＜１＞前記決定した値段ランクに含まれる前記贈呈品の前記端末への提示を前記決定した値段ランクについて前記贈呈品データ記憶部が記憶した前記ランク別贈呈品データの前記贈呈品データに基づいて行う点と，＜２＞前記入力のあった前記識別データに対応しない前記値段ランクに含まれる前記贈呈品の前記端末への提示の要求が前記端末の操作によりあった場合には，該提示の要求を受け付けない点で補正し，送付部については，これを＜３＞前記贈呈主或いは前記贈呈先への前記識別データを記載した印刷物と該印刷物に記載した前記識別データが対応する前記値段ランクに含まれる前記贈呈品の一部を記載した冊子との発送に関与する発送処理部と補正した点です。
　上記の補正＜１＞は，補正前に「該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する」という記載を，後述の補正＜２＞の記載の挿入に伴って書き換えたものに過ぎず，その記載の内容は補正前と同一の内容です。」
　
　さらに，平成２１年７月９日付け回答書における本件補正に対する審判請求人の主張は以下のとおりである。
　
「 　本願の請求項１は，最初の拒絶理由通知に応答する際に請求項８として記載した請求項であって，最初の拒絶理由通知への応答の際は元より審判請求時の補正においても，その有する贈呈品提示部は，入力のあった前記識別データに対応する前記値段ランクを，前記贈呈先関連データ記憶部が記憶した前記贈呈先関連データに基づいて決定した上で，前記ネットワークを介した前記端末への商品の提示に際しては，前記決定した値段ランクに含まれる前記贈呈品の前記端末への提示を前記決定した値段ランクについて前記贈呈品データ記憶部が記憶した前記ランク別贈呈品データの前記贈呈品データに基づいて行うという構成＜１＞を備えています。そして，本願の請求項１の贈呈品提示部を審判請求時の補正において補正し，この補正により，贈呈品提示部は，前記入力のあった前記識別データに対応しない前記値段ランクに含まれる前記贈呈品の前記端末への提示の要求が前記端末の操作によりあった場合には，該提示の要求を受け付けないという構成＜２＞を備えるものなりました。 
 　この場合，構成＜１＞は，贈呈品提示部による贈呈品のネットワークを介した提示に関する内容であって，その記載通りに，贈呈品提示部による贈呈品のネットワークを介した提示を，決定した値段ランクについて前記贈呈品データ記憶部が記憶した前記ランク別贈呈品データの前記贈呈品データに基づいて行うものです。上記した構成＜２＞は，その記載通り，入力のあった前記識別データに対応しない前記値段ランクに含まれる前記贈呈品の前記端末への提示の要求が前記端末の操作によりあった場合には，該提示の要求を受け付けないものであり，こうした構成＜２＞を有することにより，贈呈品提示部は，提示要求を受け付けないことに基づいて，贈呈品提示部による贈呈品のネットワークを介した提示を行わないようにします。この点については，本願の願書に最初に添付した明細書または図面（当初明細書）の段落００６３にある本願実施例の贈呈品選定システムＧＳでは，「このＵＲＬを「ｈｔｔｐ／／ｗｗｗ．５０００．ａｐ．・・・」と書き換え，当該ＵＲＬを贈呈品サーバ１００に送信することもできる。こうして書き換えられたＵＲＬは，値段ランク５，０００円の商品のデータにリンク可能なデータとなるが，贈呈品サーバ１００は，コンピュータＣＣＳを操作する贈呈先の贈呈先識別ＩＤ・ＰＷを記憶しているので，書換後のＵＲＬを受け付けない。よって，贈呈先識別ＩＤ・ＰＷに対応した値段ランクに含まれる商品しか，贈呈先は見ることはできないようにされている。」ことに符合しています。そうすると，上記した構成＜２＞は，上記した構成＜１＞と同様に贈呈品提示部による贈呈品のネットワークを介した提示に関する内容であると云え，構成＜１＞に基づいた贈答品提示を限定的に減縮するものとなり，上記した構成＜２＞の補正は，特許法第１７条の２第４項に規定する限定的減縮もしくは明瞭でない記載の釈明に該当すると思量いたします。 」
　
（３）本件補正の目的
　
　補正後の請求項１は，補正前の請求項８に「前記入力のあった前記識別データに対応しない前記値段ランクに含まれる前記贈呈品の前記端末への提示の要求が前記端末の操作によりあった場合には，該提示の要求を受け付けない」という機能を付加する補正事項を含むものである。
　
　本件補正前後の記載を比較すると，補正前では，贈呈先により入力された識別データに対応する値段ランクに基づき贈呈品の提示を行うものであるのに対し，本件補正では，贈呈先により入力された識別データに対応しない値段ランクの贈呈品の提示の要求があった場合には，提示の要求を受け付けない，すなわち，不正なアクセスをできないようにするもので，本件補正後の請求項１に係る発明の目的と本件補正前の請求項８に係る発明の目的は異なるものである。
　そうすると，本件補正は，追加された機能よって，補正前請求項８の事項を下位概念化するものとは認められない。
　
　したがって，当該補正事項は，特許法第１７条の２第４項第２号に掲げられた特許請求の範囲の減縮を目的としたものに該当するとは認められない。
　
　また，当該補正事項が特許法第１７条の２第４項第１号の請求項の削除，同第３号に掲げられた誤記の訂正，同第４号に掲げられた明りょうでない記載の釈明のいずれかを目的とするものに該当しないことは明らかである。
　
　よって，当該補正事項を含む本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　
（４）まとめ
　以上のとおり，本件補正は，特許法第１７条の２第４項の規定に違反するので，却下すべきものである。
　
　
３．本件発明
　
　平成１９年３月１２日付けの手続補正は上記のとおり却下されたので，本願の請求項１に係る発明（以下，「本件発明」という。）は，平成１８年７月２７日付け手続補正書の特許請求の範囲の請求項１に記載された事項により特定される，以下のとおりのものである。
　
「　【請求項１】
　贈呈品の提供を受ける贈呈先に対して，贈呈品の選定をネットワークを介して助力する贈呈品選定システムであって，
　前記ネットワークと接続された贈呈品サーバを備え，
　該贈呈品サーバは，
　複数の値段ランクの各値段ランクと，各値段ランクに含まれる贈呈品を特定するための贈呈品データとを対にしたランク別贈呈品データを記憶する贈呈品データ記憶部と，
　前記贈呈先への贈呈品提供を意図する贈呈主から贈呈品提供の依頼を受けると，前記贈呈主から示された贈呈品の値段ランクとその値段ランクごとの贈呈品提供数の提示を前記贈呈主から受け，前記値段ランクごとに，各値段ランクごとの前記提供数に応じたデータ数のデータ対を作成し，該データ対ごとに贈呈先識別のための識別データを対応付けた上で，前記値段ランクと前記識別データとを対にした贈呈先関連データを，前記贈呈主から示された前記値段ランクごとの贈呈品提供数に応じて前記値段ランクごとに作成し，該作成した贈呈先関連データを記憶する贈呈先関連データ記憶部と，
　前記識別データを受け取った贈呈先が前記ネットワークに接続された端末を操作して行う前記識別データの入力を待機する入力待機部と，
　該入力のあった前記識別データに対応する前記値段ランクを，前記贈呈先関連データ記憶部が記憶した前記贈呈先関連データに基づいて決定し，該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する贈呈品提示部とを備え，
　前記贈呈品データ記憶部は，
　ネットワークを介して接続された外部のクライアントから，贈呈品の価格データと贈呈品を画像表示する画像データとを含むメーカ側情報を受領して記憶するメーカ情報受領部と，
　該受領した前記価格データと前記画像データとを，前記価格データに対応する値段ランクと，前記画像データにリンクできるリンク情報を含む前記贈呈品データに処理するデータ処理部とを有し，
　前記メーカ情報受領部は，
　前記贈呈品のメーカを特定するメーカ特定データを前記メーカ側情報の一つとして受領し，
　前記データ処理部は，
　前記贈呈品について，前記値段ランクと，前記贈呈品データと，前記メーカ特定データと，前記贈呈品が分類される分類データとを対応付けた贈呈品データ群を作成し，
　前記贈呈品提示部は，
　前記決定した値段ランクについての前記ランク別贈呈品データに基づいた前記端末への贈呈品提示を，前記贈呈品データ群における前記メーカ特定データ或いは分類データに基づいたメーカ別提示，或いは贈呈品分類別提示として実行する
　贈呈品選定システム。」
　
４．引用例
（１）引用例１
ア　原査定の拒絶の理由に引用された特開２００２−１３３１５２号公報（以下「引用例１」という。）には，図面とともに，次の事項が記載されている（下線は，当審で付加したものである）。
　
（ア）「【０００１】
【発明の属する技術分野】この発明は，
贈呈者から受取人へ贈呈されるギフトが，インターネット等のネットワークを介してアクセス可能なサーバを利用して受取人へ配送されるように構成したギフト贈呈システムに関する
　
（イ）「【０００３】
【発明が解決しようとする課題】しかしながら，上記のような
カタログは印刷物であるため
（１）
印刷コストが高い
（２）
掲載できる商品数に限りがある
（３）季節商品の追加・削除や生産停止品・在庫切れ品の削除等のために
改訂版を頻繁に発行すれば更にコスト高となる
（４）改訂版をほとんど発行しない場合，在庫切れ品等においては，注文後でなければ在庫切れ等であることが判明しない。
（５）使用後は他の用途がないため，ゴミとなって資源が無駄になる。
【０００４】この発明は，以上のような問題点に鑑みてなされたものであり，
受取人へのギフトの贈呈を低コストで行えると共に，ギフトについての情報更新も簡単なギフト贈呈システムを提供することを目的とする
　
（ウ）「【００１１】
【発明の実施の形態】以下，この発明の実施形態を図面に基づいて説明する。図１に示すように，第１実施形態に係るギフト贈呈システムは，
贈呈者１から受取人２へ贈呈されるギフトを，ギフトサイトとしてのサーバ３にネットワーク４を介してアクセスした受取人２のクライアント端末５から選択，発注することによって，発注されたギフトを供給する商品供給者６から受取人２へそのギフトが配送されるように構成したものであって，認証データベース（Database，ＤＢ）７と商品データベース８と受発注データベース９とを備えている
【００１２】サーバ３は，運用管理者により運用管理され，例えばインターネット上や携帯電話網上等のギフトサイトとしてネットワーク４を介してアクセス可能である。なお，このサーバ３へのアクセスは全てのクライアント端末に対して許可されており，サーバ３にネットワーク４を介してアクセスしたクライアント端末に対しては，例えばサービスの概要や利用方法等の認証なしで閲覧可能なコンテンツのみを送信する。これに対し，
商品データベース８へのアクセスは，後述するように，ＩＤ及びパスワードにより認証が行われる
　
（エ）「【００１５】
商品供給者６としては，ギフトとしての商品を供給する例えばメーカー１０，１１
【００１６】
認証データベース７は，サーバ３上に格納され，このサーバ３又は運用管理者から少なくとも贈呈者１を通じて受取人２へ通知されるＩＤ，パスワード，及び発注可能なギフトの価値を示す価値度数からなる認証データを各受取人２毎に１つのレコード単位として管理するように構成されている
　
（オ）「【００１８】認証データを通知された又は通知される販売チャネル１３からサーバ３の運用管理者に対しては，例えば通知件数や期間等に基づく運用管理者からの請求に応じて所定の手数料を適宜の手段により決済すればよい。販売チャネル１３においては，
通知された各認証データをサーバ３のＵＲＬ（Uniform Resource Locators）等と共に例えばギフトカード等の通知媒体にそれぞれ印字等しておけばよい
　
（カ）「【００１９】
販売チャネル１３から贈呈者１に対しては，ギフトカード等が販売される
　
（キ）「【００２１】いずれにしても，
贈呈者１から受取人２に対しては，ギフトカード等を贈呈すればよい。これにより受取人２は，ギフトカード等に印字等された認証データやサーバ３のＵＲＬ等を認知できる。即ち，認証データベース７に記憶されたＩＤ，パスワード，及び価値度数からなる認証データが，サーバ３又はその運用管理者から少なくとも贈呈者１を通じて受取人２へ通知されることになる。受取人２のクライアント端末５から商品データベース８にアクセスするには，サーバ３にネットワーク４を介してアクセスした後，上記のＩＤ及びパスワードを入力すればよい
【００２２】
商品データベース８は，認証データベース７と連携するようにサーバ３上に格納され，このサーバ３にネットワーク４を介してアクセスした受取人２のクライアント端末５から入力されたＩＤ及びパスワードに基づいてサーバ３によりアクセス可否が確認されると共に，ギフトの商品情報及び価値度数からなる商品データを各ギフト毎に１つのレコード単位として管理するように構成されている。
ギフトの商品情報としては，例えば，商品名，型番，型式，色，仕様，概要，デジタル写真等が挙げられる
【００２３】受発注データベース９は，認証データベース７及び商品データベース８と連携するようにサーバ３上に格納され，
商品データベース８にアクセスを許可された受取人２のクライアント端末５から選択されたギフトの価値度数及び入力される受取人２の個別情報の有無に基づいてサーバ３により発注可否が確認される
　
（ク）「【００２６】ここで，発注データが商品供給者６の個別情報をも含む場合は，各商品供給者６毎に発注データを分類できるので，データ管理や発注を行い易いという利点がある。この場合，受発注データベース９に発注データが記憶される際に，
商品データベース８やその他のデータベース等と連携して自動的に商品供給者６の個別情報が発注データに含まれるようにすればよい。
商品供給者６の個別情報としては，例えば，会社名，識別記号，識別番号等が挙げられる
【００２７】次に，サーバ３における受発注処理の手順を図４に示すフローチャートに基づいてより詳細に説明する。まず，
サーバ３にネットワーク４を介してアクセスした受取人２のクライアント端末５からＩＤ及びパスワードが入力され，サーバ３に送信される
正しいＩＤ及びパスワードが入力されていれば（ステップＳ１でＹＥＳ），商品データベース８へのアクセスが許可される
【００２８】
商品データベース８にアクセスを許可された受取人２のクライアント端末５からは，ギフトとして希望する商品が選択され，サーバ３に送信される
設定された価値度数以下の商品が選択されていれば（ステップＳ２でＹＥＳ），クライアント端末５から受取人２の個別情報が入力され，サーバ３に送信される
　
（ケ）「【００３３】
ギフトについての情報更新，即ち，商品データベース８に記憶された商品データの更新は，商品供給者６から提供又は送信されたデータにより運用管理者が行ってもよいが，工数低減の観点からは商品供給者６が直接行うのが望ましい。
この商品データベース８にアクセスを許可された商品供給者６のクライアント端末からの商品データのアップロード可否を確認する機能を有する場合は，商品供給者６が商品データの変更，削除，追加等の更新を直接行うことができるので便利であるという利点がある
　
イ　ＩＤとパスワードを受け取った受取人がネットワークに接続されたクライアント端末を操作して行うＩＤとパスワードの入力を待機する手段を，サーバが備えることは明らかである。
　
ウ　上記摘記事項（ク）には，「正しいＩＤ及びパスワードが入力されていれば（ステップＳ１でＹＥＳ），商品データベース８へのアクセスが許可される」，「ギフトとして希望する商品が選択され」と記載されていることから，受取人がギフトとして希望する商品を選択するために，商品データベースに格納される商品データを受取人のクライアント端末にネットワークを介して提示する手段を，サーバが備えること明らかである。
　
エ　上記摘記事項（ケ）の記載から，商品データベースは，商品供給者から提供又は送信されたデータを受領して記憶する手段を備えることは明らかである。
　
オ　上記摘記事項（キ）の「商品データベース８は，（中略）ギフトの商品情報及び価値度数からなる商品データを各ギフト毎に１つのレコード単位として管理するように構成されている。なお，ギフトの商品情報としては，例えば，商品名，型番，型式，色，仕様，概要，デジタル写真等が挙げられる。」（【００２２】）との記載，同（ケ）の「この商品データベース８にアクセスを許可された商品供給者６のクライアント端末からの商品データのアップロード可否を確認する機能を有する場合は，商品供給者６が商品データの変更，削除，追加等の更新を直接行うことができるので便利であるという利点がある。」（【００３３】）との記載から，商品供給者から提供又は送信されたデータには，商品の価格データ及び画像データが含まれることは明らかである。
　
カ　そうすると，上記引用例１には，次の発明（以下，「引用発明」という。）が記載されていると認められる。
　
「ギフトの提供を受ける受取人に対して，ギフトの選定をネットワークを介して助力するギフト贈呈システムであって，
　前記ネットワークと接続されたサーバを備え，
　該サーバは，
　価値度数，及び，商品名，型番，型式，色，使用，概要，デジタル写真等のギフトの商品情報からなる商品データを管理する商品データベースと，
　運用管理者から少なくとも贈呈者を通じて受取人へ通知されるＩＤ，パスワード，及び発注可能なギフトの価値度数からなる認証データを各受取人毎に１つのレコード単位として管理する認証データベースと，
　ＩＤとパスワードを受け取った受取人がネットワークに接続されたクライアント端末を操作して行うＩＤとパスワードの入力を待機する手段と，
　正しいＩＤ及びパスワードが入力されていれば商品データベースへのアクセスが許可され，商品データベースに格納される商品データを，クライアント端末にネットワークを介して提示する手段とを備え，
　商品データベースは，
　ネットワークを介して接続された商品供給者のクライアント端末から，商品の価格データ及び画像データを含む更新を行うための商品データを受領して記憶する手段を有する
　ギフト贈呈システム。」
　
（２）引用例２
ア　原査定の拒絶の理由に引用された特開２００２−２４５３４８号公報（以下「引用例２」という。）には，図面とともに，次の事項が記載されている（下線は，当審で付加したものである）。
　
（ア）「【０００１】
【発明の属する技術分野】本発明はギフトの受注装置に関し，より詳細には，
ネットワークを利用して贈り主からカタログチョイスギフトを受注するギフト受注装置に関する
　
（イ）「【０００３】
【発明が解決しようとする課題】しかしながら，上述したシステムでは，
贈り主用ギフトカタログと受取主用ギフトカタログとが印刷物であるため，商品の変更等のため，これらのカタログに掲載された商品の追加，変更などを行う場合には，全てを印刷し直さなければならず，多大な手間と費用とがかかっていた
　
（ウ）「【００１８】
【発明の実施の形態】次に，図面に沿って本発明の好ましい実施形態を詳細に説明する。図１は，ネットワークを利用したカタログチョイスギフトの実行するためのシステムの概略的な構成を示す図面である。
ネットワーク１は，公衆回線網，インターネット等の既存のネットワークであり，このネットワーク１には，図１に示されているように，贈り主端末２，ギフトサーバ３，受取主１……ｎの端末４−１，４−２，……４−ｎ，提携先企業のサーバ５等が接続されている
【００１９】
贈り主端末２は，ギフトを贈る贈り主側の端末
受取主（１），（２）……（ｎ）の端末４−１，４−２……４−ｎは，ギフトを受け取る側の端末
【００２０】
ギフトサーバ３は，カタログチョイスギフトを取扱う業者のサーバである。このギフトサーバ３は，カタログチョイスギフトが取扱っている複数の商品に関する商品の商品データベースを備えている。この商品データベースは，各商品毎に，商品名，販売価格，画像，その商品の材質等の詳細情報およびその他のデータを，図２に示されているように，販売価格，ジャンル毎に，分類して格納している
その格納データは，カタログチョイスギフトが取扱っている商品の種類，内容等の変更に応じて，随時，変更される。商品の販売価格は，例えば，「１０００円」，「２０００円」，「３０００円」，「４０００円」，「５０００円」というような区切りの良い適当な価格のいずれかになるように設定されている
【００２１】
ギフトサーバ３は，ネットワークを介した贈り主からの要求に応じて，商品データベースに記憶されている各商品の商品名，販売価格，画像等を検索・抽出して，商品が属するジャンル（例えば，文具，家電，食器等）毎に，又は，商品の販売価格毎に，贈り主用ギフトカタログとして，贈り主が閲覧できるようにネットワークを通して表示することができるように構成されている
　
（エ）「【００２７】まず，カタログチョイスギフトの贈り主が，贈り主端末２において，ギフトサーバ３のＵＲＬを入力し，贈り主端末２がギフトサーバ３にネットワーク１を通してアクセスする（ステップＳ１）。ギフトサーバ３は，贈り主端末２側が閲覧可能な形式で，カタログチョイスギフト業者が取扱っている商品が掲載されている贈り主用ギフトカタログの検索用画面（図４）を贈り主に対して表示する（ステップＳ２）。この検索用画面には，金額別選択メニュー１０と，ジャンル別選択メニュー１２とが表示されている。贈り主が金額別選択メニュー１０の中のから希望のギフト金額，例えば，「２０００円」をクリックし，更に，ジャンル別選択メニュー１２から希望する商品のジャンル，例えば，「衣料品」をクリックして，販売価格が２０００円の衣料品の検索を要求すると，カタログチョイスギフト業者が取扱っている商品の中で販売価格が２０００円の衣料品の商品名およびその画像がデータベースから抽出され，その一覧表（図４の中央）が贈り主用ギフトカタログとして，贈り主端末２に対して表示される。
【００２８】各商品名に付随して，その商品の詳細情報を表示する画面へのハイパーリンクが張られた「商品詳細を見る」領域が表示され，この領域をクリックすると，図５に示されているような，その商品の材質，寸法，重量等の詳細情報を表示する画面にハイパーリンクされる。
【００２９】このように表示される贈り主用ギフトカタログを参考にして，
贈り主は，例えば，受取主（１）には「２０００円コース」のギフト，受取主（２）には「３０００円コース」のギフト，受取主（３）には「２０００円コース」のギフト，受取主（４）には「５０００円コース」のギフトというように，どの受取主にいくらのコースのギフトを贈るか決定することによって，ギフトサーバ３に対して，ギフトの発注を行う
【００３０】
発注されたギフト金額は，例えば，図６の上側に示されているような形式のコース一覧表に集計される
【００３１】発注に際して，贈り主は，例えば，前記コース一覧表から受取主を選択し，図６の下側に示されているような形式の送り先情報入力フォーマットを利用し，受取主毎に，住所，氏名，ネットワークを介して受取主にアクセスするための各受取主のＥ−ｍａｉｌアドレス等の電子メール用アドレス，または，携帯電話番号等のネットワーク上のアドレス等の受取主情報を，ギフトサーバ３に提供する。尚，用途の項には，快気祝い，内祝い等のギフトの用途を選択して，入力可能に構成されている。」
　
（オ）「【００３４】次いで，
ギフトサーバ３は，ギフトを贈ることが決定された各受取主毎にアクセス用認証番号を発行し，この認証番号を各受取主と関連付けて顧客データベースに格納しておく
ギフトサーバ３は，贈り主によって決定されたギフト金額に該当する商品を商品データベースから抽出し，販売価格がふせられた状態でその商品の品名等の情報が掲載されている受取主用ギフトカタログと，この受取主用ギフトカタログにアクセスするためのＵＲＬとを，受取主毎に生成する
【００３５】通知を受けた受取主は，通知されたアクセス用ＵＲＬを用いて受取主端末からネットワーク１を介してギフトサーバ３にアクセスし，通知されたアクセス用認証番号によって正当な受取主であることで示す（ステップＳ５）。
アクセスを受けたギフトサーバ３は，顧客データベースに照会し，認証番号に基づいて，アクセスしてきた受取主の身元確認を行なった後，その受取主が贈られた金額の商品が掲載されている受取主用ギフトカタログの検索用画面（図８）を受取主用端末側で閲覧可能な形式で表示する
贈り主がこの受取主に対するギフト金額として，「２０００円コース」を選択していれば，販売価格が２０００円の商品を検索する検索用画面が提示されることになる
【００３６】
受取主が，ジャンル別選択メニュー１２から希望する商品のジャンル，例えば，「衣料品」をクリックすると，カタログチョイスギフト業者が取扱っている商品の中から，販売価格が２０００円の衣料品の商品名およびその画像等のデータ等が，当該受取主のための受取主用ギフトカタログから抽出され，その一覧表（図８の中央）が受取主用ギフトカタログとして，受取主端末に対して表示される
【００３７】
この画面においても，各商品名に付随して，その商品の詳細情報を表示する画面へのハイパーリンクが張られた「商品詳細を見る」領域が表示され，この領域をクリックすると，図９に示されているような，その商品の材質，寸法，重量等の詳細情報を表示する画面にハイパーリンクされる
【００３８】
受取主は，必要に応じて他のジャンルの画面も参照して自分の希望にあった商品を検索し
　
　
５．対比
　
　本件発明と引用発明とを比較する。
　
　引用発明の「ギフト」，「受取人」，「ギフト贈呈システム」，「サーバ」，「商品名，型番，型式，色，使用，概要，デジタル写真等のギフトの商品情報」，「商品データベース」，「ＩＤ，パスワード」，「認証データ」，「認証データベース」，「クライアント端末」，「ＩＤとパスワードの入力を待機する手段」，「提示する手段」，「商品供給者のクライアント端末」，「ネットワークを介して接続された商品供給者のクライアント端末から，商品の価格データ及び画像データを含む更新を行うための商品データを受領して記憶する手段」は，それぞれ，本件発明の「贈呈品」，「贈呈先」，「贈呈品選定システム」，「贈呈品サーバ」，「贈呈品を特定するための贈呈品データ」，「贈呈品データ記憶部」，「贈呈先識別のための識別データ」，「贈呈先関連データ」，「贈呈先関連データ記憶部」，「端末」，「識別データの入力を待機する入力待機部」，「贈呈品提示部」，「外部のクライアント」，「ネットワークを介して接続された外部のクライアントから，贈呈品の価格データと贈呈品を画像表示する画像データとを含むメーカ側情報を受領して記憶するメーカ情報受領部」に相当する。
　
　引用発明の「価値度数」と，本件発明の「値段ランク」は，「贈呈品の価値情報」で共通する。
　
　引用発明の「各ギフトを１つのレコード単位として，価値度数，及び，商品名，型番，型式，色，使用，概要，デジタル写真等のギフトの商品情報からなる商品データ」と，本件発明の「複数の値段ランクの各値段ランクと，各値段ランクに含まれる贈呈品を特定するための贈呈品データとを対にしたランク別贈呈品データ」は，「贈呈品の価値情報と贈呈品データを関連付ける価値情報を含む贈呈品データ」で共通する。
　
　引用発明の「運用管理者から少なくとも贈呈者を通じて受取人へ通知されるＩＤ，パスワード，及び発注可能なギフトの価値を示す価値度数からなる認証データを管理する認証データベース」と本件発明の「前記値段ランクと前記識別データとを対にした贈呈先関連データを，前記贈呈主から示された前記値段ランクごとの贈呈品提供数に応じて前記値段ランクごとに作成し，該作成した贈呈先関連データを記憶する贈呈先関連データ記憶部」は，「贈呈品の価値情報と識別データからなる贈呈先関連データを作成し，該作成した贈呈先関連データを記憶する贈呈先関連データ記憶部」で共通する。
　
　引用発明の「正しいＩＤ及びパスワードが入力されていれば商品データベース８へのアクセスが許可され，商品データベースに格納される商品データを，クライアント端末にネットワークを介して提示する手段」と，本件発明の「該入力のあった前記識別データに対応する前記値段ランクを，前記贈呈先関連データ記憶部が記憶した前記贈呈先関連データに基づいて決定し，該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する贈呈品提示部」は，「該入力された前記識別データに対応して，贈呈品データ記憶部が記憶した贈呈品データに基づいて，前記端末に前記ネットワークを介して提示する贈呈品提示部」で共通する。
　
　そうすると，本件発明と，引用発明とは，次の点で一致する。
　
＜一致点＞
　
「贈呈品の提供を受ける贈呈先に対して，贈呈品の選定をネットワークを介して助力する贈呈品選定システムであって，
　前記ネットワークと接続された贈呈品サーバを備え，
　該贈呈品サーバは，
　贈呈品の価値情報と贈呈品データを関連付ける価値情報を含む贈呈品データを記憶する贈呈品データ記憶部と，
　贈呈品の価値情報と識別データからなる贈呈先関連データを作成し，該作成した贈呈先関連データを記憶する贈呈先関連データ記憶部と，
　前記識別データを受け取った贈呈先が前記ネットワークに接続された端末を操作して行う前記識別データの入力を待機する入力待機部と，
　該入力された前記識別データに対応して，贈呈品データ記憶部が記憶した贈呈品データに基づいて，前記端末に前記ネットワークを介して提示する贈呈品提示部とを備え，
　前記贈呈品データ記憶部は，
　ネットワークを介して接続された外部のクライアントから，贈呈品の価格データと贈呈品を画像表示する画像データとを含むメーカ側情報を受領して記憶するメーカ情報受領部を有する
　贈呈品選定システム。」
　
　一方で，両者は，次の点で相違する。
　
＜相違点＞
　
［相違点１］
　本件発明では，贈呈品の価値情報が「値段ランク」であり，そして，贈呈品データ記憶部に記憶される価値情報を含む贈呈品データが「複数の値段ランクの各値段ランクと，各値段ランクに含まれる贈呈品を特定するための贈呈品データとを対にしたランク別贈呈品データ」であり，贈呈先関連データ記憶部に記憶される贈呈先関連データが「前記贈呈先への贈呈品提供を意図する贈呈主から贈呈品提供の依頼を受けると，前記贈呈主から示された贈呈品の値段ランクとその値段ランクごとの贈呈品提供数の提示を前記贈呈主から受け，前記値段ランクごとに，各値段ランクごとの前記提供数に応じたデータ数のデータ対を作成し，該データ対ごとに贈呈先識別のための識別データを対応付けた上で，前記値段ランクと前記識別データとを対にした贈呈先関連データを，前記贈呈主から示された前記値段ランクごとの贈呈品提供数に応じて前記値段ランクごとに作成」したものであり，贈呈品提示部が「該入力のあった前記識別データに対応する前記値段ランクを，前記贈呈先関連データ記憶部が記憶した前記贈呈先関連データに基づいて決定し，該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する」のに対し，引用発明では，贈呈品の価値情報が「価値度数」であり，そして，贈呈品データ記憶部に記憶される価値情報を含む贈呈品データが「価値度数，及び，商品名，型番，型式，色，使用，概要，デジタル写真等のギフトの商品情報からなる商品データ」であり，贈呈先関連データ記憶部に記憶される贈呈先関連データが「運用管理者から少なくとも贈呈者を通じて受取人へ通知されるＩＤ，パスワード，及び発注可能なギフトの価値度数からなる認証データ」であり，贈呈品提示部が「正しいＩＤ及びパスワードが入力されていれば商品データベースへのアクセスが許可され，商品データベースに格納される商品データを，クライアント端末にネットワークを介して提示する」点。
　
［相違点２］
　贈呈品データ記憶部が，本件発明では，「該受領した前記価格データと前記画像データとを，前記価格データに対応する値段ランクと，前記画像データにリンクできるリンク情報を含む前記贈呈品データに処理するデータ処理部」を有するのに対し，引用発明では，そのような構成は記載されていない点。
　
［相違点３］
　本件発明では，贈呈品選定システムが，「前記贈呈品について，前記値段ランクと，前記贈呈品データと，前記メーカ特定データと，前記贈呈品が分類される分類データとを対応付けた贈呈品データ群を作成」するデータ処理部，「前記決定した値段ランクについての前記ランク別贈呈品データに基づいた前記端末への贈呈品提示を，前記贈呈品データ群における前記メーカ特定データ或いは分類データに基づいたメーカ別提示，或いは贈呈品分類別提示として実行する」贈呈品提示部を備えるのに対し，引用発明では，そのような構成は記載されていない点。
　
　
６．当審の判断
　
［相違点１］について
　引用例２の上記摘記事項（ウ），（エ）から，「２０００円コース」，「３０００円コース」等の「コース」は，本件発明の「値段ランク」に相当する。
　さらに，引用例２の上記摘記事項（オ）には「ギフトサーバ３は，贈り主によって決定されたギフト金額に該当する商品を商品データベースから抽出し」（【００３４】）と記載されており，当該記載における「ギフト金額」は，同（ウ）に記載される「コース」を意味することは明らかであるから，コースと商品は対応付けられている。
　また，引用例２の上記摘記事項（エ），（オ）及び【図６】には，贈り主は，どの受取主にいくらのコースのギフトを贈るかを決定し，ギフトサーバに対して発注をすること，ギフトサーバは，受取主へのギフト提供を意図する贈り主からギフト提供の依頼を受けると，コースと認証番号を関連付けることが記載されている。
　さらに，引用例２の上記摘記事項（オ）には，受取主の認証番号に対応するコースを決定し，コースに含まれるギフトが受取主に提示されることが記載されている。
　
　そうすると，引用発明において，
　贈呈品の価値情報を「値段ランク」とし，
　贈呈品データ記憶部に記憶される価値情報を含む贈呈品データを「複数の値段ランクの各値段ランクと，各値段ランクに含まれる贈呈品を特定するための贈呈品データとを対にしたランク別贈呈品データ」とし，
　贈呈先関連データ記憶部に記憶される贈呈先関連データを「前記贈呈先への贈呈品提供を意図する贈呈主から贈呈品提供の依頼を受けると，前記贈呈主から示された贈呈品の値段ランクとその値段ランクごとの贈呈品提供数の提示を前記贈呈主から受け，前記値段ランクごとに，各値段ランクごとの前記提供数に応じたデータ数のデータ対を作成し，該データ対ごとに贈呈先識別のための識別データを対応付けた上で，前記値段ランクと前記識別データとを対にした贈呈先関連データを，前記贈呈主から示された前記値段ランクごとの贈呈品提供数に応じて前記値段ランクごとに作成」したものとし，
　贈呈品提示部が「該入力のあった前記識別データに対応する前記値段ランクを，前記贈呈先関連データ記憶部が記憶した前記贈呈先関連データに基づいて決定し，該決定した値段ランクに含まれる前記贈呈品を，前記決定した値段ランクについて前記贈呈品データ記憶部が記憶した前記ランク別贈呈品データの前記贈呈品データに基づいて，前記端末に前記ネットワークを介して提示する」ことにすることは，
　当業者が容易になし得たものである。
　
　したがって，相違点１に係る本件発明の構成は，引用発明及び引用例２に記載された事項に基づいて，当業者が容易に想到し得たものである。
　
［相違点２］について
　上記［相違点１］についてで検討したとおり，贈呈品の価値情報を「値段ランク」とすることは，当業者が容易になし得たことであること，引用例２の上記摘記事項（ウ）（【００２０】参照）及び【図２】には，商品データベースには，各商品毎に，販売価格，ジャンル毎に，分類して格納されていることが記載されており，同（オ）（【００３６】〜【００３７】参照）には，受取主が商品を選択する画面では，受取主がクリックすることのできる，商品の詳細情報を表示する画面へのハイパーリンクが張られた「商品詳細を見る」領域が表示されると記載されている。
　
　そうすると，引用発明において，贈呈品データ記憶部が「該受領した前記価格データと前記画像データとを，前記価格データに対応する値段ランクと，前記画像データにリンクできるリンク情報を含む前記贈呈品データに処理するデータ処理部」を有するとすることは，当業者が容易になし得たものである。
　
　したがって，相違点２に係る本件発明の構成は，引用発明及び引用例２に記載された事項に基づいて，当業者が容易に想到し得たものである。
　
［相違点３］について
　引用例１の上記摘記事項（ク）には，商品供給者の会社名，識別記号，識別番号等の個別情報が発注データに含まれるようにすればよいと記載されていることから，商品データには商品供給者の個別情報が関連づけられており，引用例２の上記摘記事項（ウ）及び（オ）には，受取主は，贈り主により贈られたギフトの金額に相当する商品の商品名等のデータをジャンル毎に，受取人用ギフトカタログとして閲覧できることが記載されており，カタログギフトとして情報を提供するに当たり，商品を検索するためにどのような分類を設定するかは当業者が適宜決定し得たものであり，このとき，分類に基づいて格納された商品の情報をその分類に基づいて提示することは当業者が適宜なし得たものである。
　
　そうすると，引用発明において，贈呈品選定システムが，「前記贈呈品について，前記値段ランクと，前記贈呈品データと，前記メーカ特定データと，前記贈呈品が分類される分類データとを対応付けた贈呈品データ群を作成」するデータ処理部，「前記決定した値段ランクについての前記ランク別贈呈品データに基づいた前記端末への贈呈品提示を，前記贈呈品データ群における前記メーカ特定データ或いは分類データに基づいたメーカ別提示，或いは贈呈品分類別提示として実行する」贈呈品提示部を備えることは，当業者が容易になし得たものである。
　
　したがって，相違点３に係る本件発明の構成は，引用発明及び引用例２に記載された事項に基づいて，当業者が容易に想到し得たものである。
　
　以上より，本件発明の構成は，引用発明及び引用例２に記載された事項に基づき，当業者が容易に想到し得たものである。
　そして，本件発明の作用効果も，引用例１及び引用例２から当業者が予測できる範囲のものである。
　ゆえに，本件発明は，引用発明及び引用例２に記載された事項に基づいて当業者が容易に発明をすることができたものである。
　
　
７．むすび
　したがって，本件発明は，特許法第２９条第２項の規定により特許を受けることができない。
　
　よって，結論のとおり審決する。